(57)【要約】【課題】通常の原稿読取り時における読取り画像の画質を安定させ、かつ、プレスキャン時のユーザの眩しさを抑制する。【解決手段】ＤＵＴＹ＿ＣＴＬ２１ａは、ＴＧ１１ａにより出力された点灯期間信号ｐｗｍに基づき、ＰＷＭ方式によりＬＥＤ３ａ〜３ｃの点灯期間を制御する点灯信号をＤＲＶ２３へ出力する。ＣＵＲ＿ＣＴＬ２２ａは、ＴＧ１１ａにより出力された電流制御信号ｃｕｒ＿ｓｉｇに基づき、電流可変方式によりＬＥＤ３ａ〜３ｃに供給する電流値を設定する電流設定値をＤＲＶ２３へ出力する。ＤＲＶ２３は、ＤＵＴＹ＿ＣＴＬ２１ａにより出力された点灯信号に基づき、ＬＥＤ３ａ〜３ｃの点灯期間、すなわち点灯及び消灯を制御する。また、ＤＲＶ２３は、ＣＵＲ＿ＣＴＬ２２ａにより出力された電流設定値に基づき、ＬＥＤ３ａ〜３ｃの光量の瞬時値を制御する。【選択図】図１
2013062684.tif 000002
【特許請求の範囲】
【請求項１】
被照射体に光を照射する光源部を駆動する駆動部と、
前記光源部が光を照射する照射期間を制御する第１の駆動モード及び前記光源部が照射する光量の瞬時値を制御する第２の駆動モードで前記駆動部を制御して前記光源部を駆動させる駆動制御部と
を備えることを特徴とする光源駆動装置。
【請求項２】
前記光源部は、ＬＥＤ（Light  Emitting  Diode）であり、
前記第１の駆動モードは、前記光源部が光を照射する照射期間をＰＷＭ（Pulse  Width  Modulation）方式により制御し、
前記第２の駆動モードは、前記光源部が照射する光量の瞬時値を電流可変方式により制御する
ことを特徴とする請求項１に記載の光源駆動装置。
【請求項３】
前記光源部の駆動を制御する制御信号を生成する生成部
をさらに備え、
前記駆動制御部は、前記生成部により生成された制御信号に基づき前記第１の駆動モード及び前記第２の駆動モードで前記駆動部を制御して前記光源部を駆動させる
ことを特徴とする請求項１又は２に記載の光源駆動装置。
【請求項４】
被照射体に光を照射する光源部と、
前記光源部を駆動する駆動部と、
前記光源部の駆動を制御する制御信号を生成する生成部と、
前記生成部により生成された制御信号に基づき、前記光源部が光を照射する照射期間を制御する第１の駆動モード及び前記光源部が照射する光量の瞬時値を制御する第２の駆動モードで前記駆動部を制御して前記光源部を駆動させる駆動制御部と、
前記第１の駆動モード及び前記第２の駆動モードそれぞれに応じた電荷の蓄積時間にわたり前記光源部が照射した光が前記被照射体で反射した反射光の累積光量で前記反射光を光電変換する光電変換部と
を備えることを特徴とする画像読取装置。
【請求項５】
前記光源部は、ＬＥＤ（Light  Emitting  Diode）であり、
前記第１の駆動モードは、前記光源部が光を照射する照射期間をＰＷＭ（Pulse  Width  Modulation）方式により制御し、
前記第２の駆動モードは、前記光源部が照射する光量の瞬時値を電流可変方式により制御する
ことを特徴とする請求項４に記載の画像読取装置。
【請求項６】
前記第１の駆動モードよりも前記第２の駆動モードにおいて、前記光源部が光を照射する照射時間が長く、前記光源部が照射する光量の瞬時値が小さい
ことを特徴とする請求項４又は５に記載の画像読取装置。
【請求項７】
前記第２の駆動モードにおいて、前記光源部が光を常時照射し、
前記第１の駆動モードよりも前記第２の駆動モードにおいて、前記光電変換部における前記電荷の蓄積時間が長く、前記光源部が照射する光量の瞬時値が小さい
ことを特徴とする請求項４又は５に記載の画像読取装置。
【請求項８】
前記第１の駆動モード及び前記第２の駆動モードにおいて、前記光電変換部において前記電荷の蓄積時間において累積される累積光量が等しい
ことを特徴とする請求項４又は５に記載の画像読取装置。
【請求項９】
前記駆動制御部は、前記生成部により生成された第１の駆動信号に基づき前記駆動部を制御して前記光源部を前記第１の駆動モードで駆動させ、前記生成部により生成された第２の駆動信号に基づき前記駆動部を制御して前記光源部を前記第２の駆動モードで駆動させる
ことを特徴とする請求項４〜８の何れか一つに記載の画像読取装置。
【請求項１０】
前記駆動制御部は、前記生成部により生成された単一の駆動信号のオンオフに基づき前記駆動部を制御して前記光源部を前記第１の駆動モードで駆動させ、前記生成部により生成された前記単一の駆動信号の強度に基づき前記駆動部を制御して前記光源部を前記第２の駆動モードで駆動させる
ことを特徴とする請求項４〜８の何れか一つに記載の画像読取装置。
【請求項１１】
前記生成部により生成された第１の駆動信号を第１の強度で前記駆動制御部へ出力し、前記生成部により生成された第２の駆動信号を前記第１の強度よりも低い第２の強度まで減衰させて前記駆動制御部へ出力するフィルタ部
をさらに備え、
前記生成部は、周波数が可変である単一の制御信号の周波数を第１の周波数として前記第１の駆動信号を生成して前記フィルタ部へ出力し、前記単一の駆動信号の周波数を前記第１の周波数より高い第２の周波数として前記第２の駆動信号を生成して前記フィルタ部へ出力する
ことを特徴とする請求項４〜８の何れか一つに記載の画像読取装置。
【請求項１２】
請求項４〜１１の何れか一つに記載の画像読取装置を備えた
ことを特徴とする画像形成装置。
【請求項１３】
画像読取装置で実行される光源駆動方法であって、
原稿に光を照射する光源部の駆動を制御する制御信号を生成する生成工程と、
前記生成工程により生成された制御信号に基づき、前記光源部が光を照射する照射期間を制御する第１の駆動モード及び前記光源部が照射する光量の瞬時値を制御する第２の駆動モードで前記駆動部を制御して前記光源部を駆動させる駆動制御工程と、
前記第１の駆動モード及び前記第２の駆動モードそれぞれに応じた電荷の蓄積時間にわたり前記光源部が照射した光が前記被照射体で反射した反射光の累積光量で前記反射光を光電変換する光電変換工程と
を含むことを特徴とする光源駆動方法。
【発明の詳細な説明】
【技術分野】
【０００１】
本発明は、光源駆動装置、画像読取装置、画像形成装置及び光源駆動方法に関する。
【背景技術】
【０００２】
近年、スキャナ等の画像読取装置の光源として、例えばＬＥＤ（Light  Emitting  Diode）が用いられる。ＬＥＤは、放射する光量の差が個体により大きいため、画像読取装置において、ＬＥＤ毎に光量を調整された光を原稿に照射して画像読取を行う。
【０００３】
ＬＥＤの光量の調整方法には、主に、電流可変方式と、点灯期間可変方式（ＰＷＭ（Pulse  Width  Modulation）方式、以下、ＰＷＭ方式と呼ぶ）との２つの方法がある。電流可変方式は、ＬＥＤの発光色度がＬＥＤに供給される電流に大きく依存するために読取画像の画質が安定しないことから、画像読取装置においては、点灯期間可変方式が用いられることが一般的である。
【０００４】
ところで、画像読取装置は、原稿をプレスキャンして原稿の主走査方向のサイズを検知する機能を備える。主走査方向のサイズの検知は、ユーザが画像読取装置へ原稿をセットし終えたタイミング、例えば原稿を押圧する圧板が開かれた状態から閉められた状態となったタイミングで行われる。このとき、画像読取装置において行われるプレスキャン時に原稿に照射されるＬＥＤの光が、ユーザにとって眩しいという問題がある。
【０００５】
そこで、例えば特許文献１には、光源としてＬＥＤを備えた画像読取装置において、プレスキャン時には、通常の原稿読取り時と比較して、原稿に照射する光量を抑制する技術が開示されている。
【発明の概要】
【発明が解決しようとする課題】
【０００６】
しかしながら、上述の従来技術では、ＬＥＤの光量をＰＷＭ方式により制御する場合には、プレスキャン時の光量のピーク値を抑制することができないため、ユーザの眩しさを抑制することはできない。これは、人の目は、ＬＥＤの光量のピーク値で眩しさを感じるが、残像効果により、ＬＥＤの光量がピーク値から低下してもしばらく眩しさを感じるためである。
【０００７】
また、ＬＥＤの光量を電流可変方式により制御する場合には、原稿を読取った読取り画像の画質が安定しないのみならず、ＬＥＤの発光色度にバラツキがあるため、プレスキャン時のユーザの眩しさを抑制することはできない。
【０００８】
本発明は、上記に鑑みてなされたものであって、通常の原稿読取り時における読取り画像の画質を安定させ、かつ、プレスキャン時のユーザの眩しさを低減することを目的とする。
【課題を解決するための手段】
【０００９】
上述した課題を解決し、目的を達成するために、本発明は、光源駆動装置であって、被照射体に光を照射する光源部を駆動する駆動部と、前記光源部が光を照射する照射期間を制御する第１の駆動モード及び前記光源部が照射する光量の瞬時値を制御する第２の駆動モードで前記駆動部を制御して前記光源部を駆動させる駆動制御部とを備えることを特徴とする。
【００１０】
また、本発明は、画像読取装置であって、被照射体に光を照射する光源部と、前記光源部を駆動する駆動部と、前記光源部の駆動を制御する制御信号を生成する生成部と、前記生成部により生成された制御信号に基づき、前記光源部が光を照射する照射期間を制御する第１の駆動モード及び前記光源部が照射する光量の瞬時値を制御する第２の駆動モードで前記駆動部を制御して前記光源部を駆動させる駆動制御部と、前記第１の駆動モード及び前記第２の駆動モードそれぞれに応じた電荷の蓄積時間にわたり前記光源部が照射した光が前記被照射体で反射した反射光の累積光量で前記反射光を光電変換する光電変換部とを備えることを特徴とする。
【００１１】
また、本発明は、画像読取装置で実行される光源駆動方法であって、原稿に光を照射する光源部の駆動を制御する制御信号を生成する生成工程と、前記生成工程により生成された制御信号に基づき、前記光源部が光を照射する照射期間を制御する第１の駆動モード及び前記光源部が照射する光量の瞬時値を制御する第２の駆動モードで前記駆動部を制御して前記光源部を駆動させる駆動制御工程と、前記第１の駆動モード及び前記第２の駆動モードそれぞれに応じた電荷の蓄積時間にわたり前記光源部が照射した光が前記被照射体で反射した反射光の累積光量で前記反射光を光電変換する光電変換工程とを含むことを特徴とする。
【発明の効果】
【００１２】
本発明によれば、通常の原稿読取り時における読取り画像の画質を安定させ、かつ、プレスキャン時のユーザの眩しさを低減するという効果を奏する。
【図面の簡単な説明】
【００１３】
【図１】図１は、第１の実施の形態に係る光源駆動装置の構成を一例を示すブロック図である。
【図２Ａ】図２Ａは、第１の実施の形態に係る光源駆動装置の通常の原稿読取り時の動作の一例を説明する図である。
【図２Ｂ】図２Ｂは、第１の実施の形態に係る光源駆動装置のプレスキャン時の動作の一例を説明する図である。
【図３】図３は、第２の実施の形態に係る光源駆動装置のプレスキャン時の動作の一例を説明する図である。
【図４】図４は、第２の実施の形態の変形例に係る光源駆動装置のプレスキャン時の動作の一例を説明する図である。
【図５】図５は、第３の実施の形態に係る光源駆動装置の構成の一例を示すブロック図である。
【図６】図６は、第４の実施の形態に係る光源駆動装置の構成の一例を示すブロック図である。
【図７】図７は、第４の実施の形態に係る光源駆動装置が備えるフィルタの特性の一例を示す図である。
【図８Ａ】図８Ａは、第４の実施の形態に係る光源駆動装置のプレスキャン時の動作の一例を説明する図である。
【図８Ｂ】図８Ｂは、第４の実施の形態の変形例に係る光源駆動装置のプレスキャン時の動作の一例を説明する図である。
【図９】図９は、第１〜第４の実施の形態を適用した回路の構成の一例を示すブロック図である。
【図１０】図１０は、第１〜第４の実施の形態を適用した画像形成装置の構成の一例を示すブロック図である。
【発明を実施するための形態】
【００１４】
以下に添付図面を参照して、光源駆動装置、画像読取装置、画像形成装置及び光源駆動方法の実施の形態を詳細に説明する。なお、以下で説明する実施の形態では、画像読取装置に備えられる光源駆動装置、並びに、画像形成装置に備えられる画像読取装置を例示する。しかし、以下の例示に限らず、光源駆動装置及び画像読取装置は、画像形成媒体に画像を出力する様々なタイプの画像形成装置に対して広く適用してもよい。なお、以下に例示する各実施の形態は、適宜組合せてもよい。
【００１５】
［第１の実施の形態］
（光源駆動装置の構成）
以下に、第１の実施の形態に係る光源駆動装置１ａについて説明する。図１は、第１の実施の形態に係る光源駆動装置の構成を一例を示すブロック図である。図１に示すように、光源駆動装置１ａは、ＬＥＤ＿ＣＴＬ１０ａ、ＬＥＤ＿ＤＲＶ２０ａを有する。
【００１６】
また、光源駆動装置１ａには、ＣＣＤ（Charge  Coupled  Device  Image  Sensor）２及びＬＥＤ（Light  Emitting  Diode）３ａ〜３ｃが接続される。ＣＣＤ２は、ＬＥＤ３ａ〜３ｃにより被照射体、例えば画像読取装置にセットされた原稿に照射された光の反射光を受光し、受光した反射光を光電変換する光電変換素子の一例である。なお、光源駆動装置１ａに接続されるＬＥＤの数は、ＬＥＤ３ａ〜３ｃの３つ以外の数でもよい。ＬＥＤ３ａ〜３ｃは、被照射体に光を照射する光源部の一例である。
【００１７】
ＬＥＤ＿ＣＲＬ１０ａは、ＴＧ（Timing  Generator）１１ａを有する。ＴＧ１１ａは、点灯期間可変方式（ＰＷＭ（Pulse  Width  Modulation）方式、以下、ＰＷＭ方式と呼ぶ）によりＬＥＤ３ａ〜３ｃの点灯期間を制御する点灯期間信号ｐｗｍを生成し、ＬＥＤ＿ＤＲＶ２０ａへ出力する。なお、ＰＷＭ方式では、パルス信号のパルス幅が可変である。また、ＴＧ１０ａは、ＬＥＤ３ａ〜３ｃに供給される電流の電流設定値を設定する電流制御信号ｃｕｒ＿ｓｉｇを生成し、ＬＥＤ＿ＤＲＶ２０ａへ出力する。
【００１８】
なお、ＴＧ１１ａは、ＣＣＤ２に蓄積された電荷を図示しない転送レジスタへ転送制御するシフトゲート信号ｓｈを生成し、ＣＣＤ２へ出力する。ＣＣＤ２では、シフトゲート信号ｓｈの周期が、電荷の蓄積時間に相当する。
【００１９】
ＬＥＤ＿ＤＲＶ２０ａは、ＤＵＴＹ＿ＣＴＬ２１ａ、ＣＵＲ＿ＣＴＬ２２ａ、ＤＲＶ２３を有する。ＤＵＴＹ＿ＣＴＬ２１ａは、ＴＧ１１ａにより出力された点灯期間信号ｐｗｍに基づき、ＰＷＭ方式によりＬＥＤ３ａ〜３ｃの点灯期間を制御する点灯信号をＤＲＶ２３へ出力する。ＣＵＲ＿ＣＴＬ２２ａは、ＴＧ１１ａにより出力された電流制御信号ｃｕｒ＿ｓｉｇに基づき、電流可変方式によりＬＥＤ３ａ〜３ｃに供給する電流値を設定する電流設定値をＤＲＶ２３へ出力する。
【００２０】
ＤＲＶ２３は、図示しない電源を含み、ＬＥＤ３ａ〜３ｃそれぞれに電流Ｉｌｅｄを供給し、点灯させる。なお、図１では、ＬＥＤ３ａ〜３ｃは、それぞれ異なる電源系統から電流が供給される場合を示すが、ＬＥＤ３ａ〜３ｃへ電流を供給する電源系統の統合及び分散は、この限りではない。
【００２１】
具体的には、ＤＲＶ２３は、ＤＵＴＹ＿ＣＴＬ２１ａにより出力された点灯信号に基づき、ＬＥＤ３ａ〜３ｃの点灯期間、すなわち点灯及び消灯を制御する。ＤＲＶ２３が、ＤＵＴＹ＿ＣＴＬ２１ａにより出力された点灯信号に基づきＬＥＤ３ａ〜３ｃの点灯期間を制御するモードを第１の駆動モードと呼ぶ。第１の実施の形態では、画像読取装置において、通常の原稿読取り時に、第１の駆動モードでＬＥＤ３ａ〜３ｃの点灯期間を制御することにより、ＬＥＤ３ａ〜３ｃが原稿に照射する光量を制御する。
【００２２】
また、ＤＲＶ２３は、ＣＵＲ＿ＣＴＬ２２ａにより出力された電流設定値に基づき、ＬＥＤ３ａ〜３ｃの光量の瞬時値を制御する。ＤＲＶ２３が、ＣＵＲ＿ＣＴＬ２２ａにより出力された電流設定値に基づきＬＥＤ３ａ〜３ｃの光量の瞬時値を制御するモードを第２の駆動モードと呼ぶ。第１の実施の形態では、画像読取装置において、プレスキャン時に、第２の駆動モードでＬＥＤ３ａ〜３ｃの光量の瞬時値を制御することにより、ＬＥＤ３ａ〜３ｃが原稿に照射する光量を制御する。
【００２３】
このように、ＤＲＶ２３は、第１の駆動モード及び第２の駆動モードでＬＥＤ３ａ〜３ｃの発光を制御する。なお、ＬＥＤ３ａ〜３ｃの光量の瞬時値は、発光輝度、光度及び照度等、光量の指標値であれば同様に扱うことができる。
【００２４】
（光源駆動装置の動作）
図２Ａは、第１の実施の形態に係る光源駆動装置の通常の原稿読取り時の動作の一例を説明する図である。また、図２Ｂは、第１の実施の形態に係る光源駆動装置のプレスキャン時の動作の一例を説明する図である。図２Ａ及び図２Ｂは、横軸を時刻ｔとし、各時刻ｔにおけるシフトゲート信号ｓｈ、点灯期間信号ｐｗｍ、電流制御信号ｃｕｒ＿ｓｉｇ、電流Ｉｌｅｄ、光量の瞬時値Ｐｌｅｄの概要を示すタイミングチャートである。
【００２５】
図２Ａに示すように、通常の原稿読取り時には、時刻ｔの全期間にわたって電流制御信号ｃｕｒ＿ｓｉｇに電流設定値ｉ１が設定される。そして、時刻ｔ０１以前では、シフトゲート信号ｓｈ、点灯期間信号ｐｗｍ、電流Ｉｌｅｄ、光量の瞬時値Ｐｌｅｄは初期状態にあり、ＬＥＤ３ａ〜３ｃは消灯状態である。
【００２６】
先ず、図２Ａに示す時刻ｔ０１において、シフトゲート信号ｓｈのパルスが立ち上がる。続いて、時刻ｔ０２において、点灯期間信号ｐｗｍのパルスが立ち上がる。点灯期間信号ｐｗｍのパルスの立ち上がりに応じて、時刻ｔ０２において、電流Ｉｌｅｄ及び光量の瞬時値Ｐｌｅｄが上昇を開始する。電流Ｉｌｅｄは、時刻ｔ０２から時刻ｔ０３の間に、電流設定値ｉ１に応じたＩｐｋ１だけ上昇する。同様に、光量の瞬時値Ｐｌｅｄは、時刻ｔ０２から時刻ｔ０３の間に、電流設定値ｉ１に応じたＰｐｋ１だけ上昇する。
【００２７】
すなわち、図２Ａに示す時刻ｔ０２において、ＬＥＤ３ａ〜３ｃの点灯が開始し、時刻ｔ０３において、ＬＥＤ３ａ〜３ｃがＩｐｋ１及びＰｐｋ１に応じた光で点灯する状態となる。電流制御信号ｃｕｒ＿ｓｉｇに電流設定値ｉ１が設定された場合において、Ｉｐｋ１は電流Ｉｌｅｄのピーク値であり、Ｐｐｋ１は光量の瞬時値Ｐｌｅｄのピーク値である。ＬＥＤ３ａ〜３ｃは、時刻ｔ０３〜時刻ｔ０４にわたって、Ｉｐｋ１及びＰｐｋ１に応じた光で点灯する。
【００２８】
そして、図２Ａに示す時刻ｔ０４において、点灯期間信号ｐｗｍのパルスが立ち下がる。点灯期間信号ｐｗｍのパルスの立ち下がりに応じて、時刻ｔ０４において、電流Ｉｌｅｄ及び光量の瞬時値Ｐｌｅｄが下降を開始する。電流Ｉｌｅｄは、時刻ｔ０４から時刻ｔ０５の間に、Ｉｐｋ１だけ下降する。同様に、光量の瞬時値Ｐｌｅｄは、時刻ｔ０４から時刻ｔ０５の間に、Ｐｐｋ１だけ下降する。
【００２９】
すなわち、図２Ａに示す時刻ｔ０４において、ＬＥＤ３ａ〜３ｃの消灯が開始し、時刻ｔ０５において、ＬＥＤ３ａ〜３ｃが消灯する状態となる。なお、図２Ａにおいて、時刻ｔ０６〜時刻ｔ１０も、時刻０１〜時刻ｔ０５と同様である。
【００３０】
一方、図２Ｂに示すように、プレスキャン時には、時刻ｔの全期間にわたって電流制御信号ｃｕｒ＿ｓｉｇに、図２Ａにおける電流設定値ｉ１よりも小さい電流設定値ｉ２が設定される。そして、時刻ｔ１１以前では、シフトゲート信号ｓｈ、点灯期間信号ｐｗｍ、電流Ｉｌｅｄ、光量の瞬時値Ｐｌｅｄは初期状態にあり、ＬＥＤ３ａ〜３ｃは消灯状態である。
【００３１】
そして、図２Ｂに示す時刻ｔ１１において、シフトゲート信号ｓｈのパルスが立ち上がる。続いて、時刻ｔ１２において、点灯期間信号ｐｗｍのパルスが立ち上がる。点灯期間信号ｐｗｍのパルスの立ち上がりに応じて、時刻ｔ１２において、電流Ｉｌｅｄ及び光量の瞬時値Ｐｌｅｄが上昇を開始する。電流Ｉｌｅｄは、時刻ｔ１２から時刻ｔ１３の間に、Ｉｐｋ１よりも小さな値である、電流設定値ｉ２に応じたＩｐｋ２だけ上昇する。同様に、光量の瞬時値Ｐｌｅｄは、時刻ｔ１２から時刻ｔ１３の間に、Ｐｐｋ１よりも小さな値である、電流設定値ｉ２に応じたＰｐｋ２だけ上昇する。
【００３２】
すなわち、図２Ｂの時刻ｔ１２において、ＬＥＤ３ａ〜３ｃの点灯が開始し、時刻ｔ１３において、ＬＥＤ３ａ〜３ｃがＩｐｋ２及びＰｐｋ２に応じた光で点灯する状態となる。電流制御信号ｃｕｒ＿ｓｉｇに電流設定値ｉ２が設定された場合において、Ｉｐｋ２は電流Ｉｌｅｄのピーク値であり、Ｐｐｋ２は光量の瞬時値Ｐｌｅｄのピーク値である。ＬＥＤ３ａ〜３ｃは、時刻ｔ１３〜時刻ｔ１４にわたって、Ｉｐｋ２及びＰｐｋ２に応じた光で点灯する。
【００３３】
そして、図２Ｂに示す時刻ｔ１４において、点灯期間信号ｐｗｍのパルスが立ち下がる。点灯期間信号ｐｗｍのパルスの立ち下がりに応じて、時刻ｔ１４において、電流Ｉｌｅｄ及び光量の瞬時値Ｐｌｅｄが下降を開始する。電流Ｉｌｅｄは、時刻ｔ１４から時刻ｔ１５の間に、Ｉｐｋ２だけ下降する。同様に、光量の瞬時値Ｐｌｅｄは、時刻ｔ１４から時刻ｔ１５の間に、Ｐｐｋ２だけ下降する。
【００３４】
すなわち、図２Ｂに示す時刻ｔ１４において、ＬＥＤ３ａ〜３ｃの消灯が開始し、時刻ｔ１５において、ＬＥＤ３ａ〜３ｃが消灯する状態となる。なお、図２Ｂにおいて、時刻ｔ１６〜時刻ｔ２０も、時刻１１〜時刻ｔ１５と同様である。
【００３５】
このように、第１の実施の形態に係る光源駆動装置１は、ＰＷＭ方式に基づく第１の駆動モードでＬＥＤ３ａ〜３ｃの点灯期間を制御し、電流可変方式に基づく第２の駆動モードでＬＥＤ３ａ〜３ｃの光量の瞬時値を制御する。そして、通常の原稿読み取り時と、プレスキャン時では、ＰＷＭ方式によるＬＥＤ３ａ〜３ｃの点灯期間の長さは同一としている。
【００３６】
そして、光量の確保を要する通常の原稿読取り時等には、電流可変方式の電流制御信号ｃｕｒ＿ｓｉｇに電流設定値ｉ１を設定して光量の瞬時値Ｐｌｅｄのピーク値をＰｐｋ１とし、ＰＷＭ方式によりＬＥＤ３ａ〜３ｃの点灯期間を制御する。一方、光量の確保を要さないプレスキャン時等には、電流可変方式の電流制御信号ｃｕｒ＿ｓｉｇに電流設定値ｉ１よりも小さな電流設定値ｉ２を設定して光量の瞬時値Ｐｌｅｄのピーク値をＰｐｋ２とし、ＰＷＭ方式によりＬＥＤ３ａ〜３ｃの点灯期間を制御する。
【００３７】
（第１の実施の形態による効果）
以上のように、第１の実施の形態に係る光源駆動装置１は、ＰＷＭ方式に基づく第１の駆動モード及び電流可変方式に基づく第２の駆動モードを使い分け、状況に応じてＬＥＤ３ａ〜３ｃの発光を制御する。よって、通常の原稿読取り時には、ＬＥＤ３ａ〜３ｃの発光色度をより安定させて原稿の読取り画像の画質を安定させ、プレスキャン時には、ＬＥＤ３ａ〜３ｃの光量を抑制して、ＬＥＤ３ａ〜３ｃの光の眩しさを低減する。
【００３８】
［第２の実施の形態］
（光源駆動装置の動作）
以下に、第２の実施の形態に係る光源駆動装置１ｂについて説明する。光源駆動装置１ｂの構成及び通常の原稿読取り時の動作は、第１の実施の形態に係る光源駆動装置１ａと同様であるので、説明を省略する。図３は、第２の実施の形態に係る光源駆動装置のプレスキャン時の動作の一例を説明する図である。図３は、図２Ａ及び図２Ｂと同様に、横軸を時刻ｔとし、各時刻ｔにおけるシフトゲート信号ｓｈ、点灯期間信号ｐｗｍ、電流制御信号ｃｕｒ＿ｓｉｇ、電流Ｉｌｅｄ、光量の瞬時値Ｐｌｅｄの概要を示すタイミングチャートである。
【００３９】
光源駆動装置１ｂにおいては、図３に示すプレスキャン時の電流制御信号ｃｕｒ＿ｓｉｇの電流設定値ｉ３が、図２Ｂに示す光源駆動装置１ａにおける電流制御信号ｃｕｒ＿ｓｉｇの電流設定値ｉ２と比べて小さい。このため、プレスキャン時において、ＬＥＤ３ａ〜３ｃの光量を十分に確保するため、図２Ｂに示す光源駆動装置１ａのプレスキャン時の動作と比較して、ＰＷＭ方式により点灯期間信号ｐｗｍがより長くなるよう制御する。
【００４０】
図３に示すように、プレスキャン時には、時刻ｔの全期間にわたって電流制御信号ｃｕｒ＿ｓｉｇに電流設定値ｉ３が設定される。そして、時刻ｔ３１以前では、シフトゲート信号ｓｈ、点灯期間信号ｐｗｍ、電流Ｉｌｅｄ、光量の瞬時値Ｐｌｅｄは初期状態にあり、ＬＥＤ３ａ〜３ｃは消灯状態である。
【００４１】
そして、図３に示す時刻ｔ３１において、シフトゲート信号ｓｈのパルスが立ち上がる。続いて、時刻ｔ３２において、シフトゲート信号ｓｈのパルスが立ち下がると同時に、点灯期間信号ｐｗｍのパルスが立ち上がる。点灯期間信号ｐｗｍのパルスの立ち上がりに応じて、時刻ｔ３２において、電流Ｉｌｅｄ及び光量の瞬時値Ｐｌｅｄが上昇を開始する。電流Ｉｌｅｄは、時刻ｔ３２から時刻ｔ３３の間に、図２Ａに示すＩｐｋ１及び図２Ｂに示すＩｐｋ２よりも小さな、電流設定値ｉ３に応じたＩｐｋ３だけ上昇する。同様に、光量の瞬時値Ｐｌｅｄは、時刻ｔ３２から時刻ｔ３３の間に、Ｐｐｋ１及びＰｐｋ２よりも小さな、電流設定値ｉ３に応じたＰｐｋ３だけ上昇する。
【００４２】
すなわち、図３に示す時刻ｔ３２において、ＬＥＤ３ａ〜３ｃの点灯が開始し、時刻ｔ３３において、ＬＥＤ３ａ〜３ｃがＩｐｋ３及びＰｐｋ３に応じた光で点灯する状態となる。電流制御信号ｃｕｒ＿ｓｉｇに電流設定値ｉ３が設定された場合において、Ｉｐｋ３は電流Ｉｌｅｄのピーク値であり、Ｐｐｋ３は光量の瞬時値Ｐｌｅｄのピーク値である。ＬＥＤ３ａ〜３ｃは、時刻ｔ３３〜時刻ｔ３４にわたって、Ｉｐｋ３及びＰｐｋ３に応じた光量で点灯する。
【００４３】
そして、図３に示す時刻ｔ３４において、シフトゲート信号ｓｈのパルスが立ち上がり、点灯期間信号ｐｗｍのパルスが立ち下がる。点灯期間信号ｐｗｍのパルスの立ち下がりに応じて、時刻ｔ３４において、電流Ｉｌｅｄ及び光量の瞬時値Ｐｌｅｄが下降を開始する。電流Ｉｌｅｄは、時刻ｔ３４から時刻ｔ３５の間に、Ｉｐｋ３だけ下降する。同様に、光量の瞬時値Ｐｌｅｄは、時刻ｔ３４から時刻ｔ３５の間に、Ｐｐｋ３だけ下降する。
【００４４】
すなわち、図３に示す時刻ｔ３４において、ＬＥＤ３ａ〜３ｃの消灯が開始し、時刻ｔ３５において、ＬＥＤ３ａ〜３ｃが消灯する状態となる。なお、図３において、時刻ｔ３６〜時刻ｔ３９も、時刻３２〜時刻ｔ３５と同様である。
【００４５】
なお、図３では、ＰＷＭ方式に基づくＬＥＤ３ａ〜３ｃの点灯期間の制御は、シフトゲート信号ｓｈのパルスの立ち下がりから次のシフトゲート信号ｓｈのパルスの立ち上がりまでの期間としている。しかし、これに限らず、電流設定値ｉ３に応じて、シフトゲート信号ｓｈのパルスの立ち下がりから次のパルスの立ち上がりまでの間の期間であり、通常の原稿読取り時よりも長い期間であって、ＬＥＤ３ａ〜３ｃの光量を十分に確保できる期間であればよい。また、ＬＥＤ３ａ〜３ｃの点灯期間を常時点灯状態、すなわち、シフトゲート信号ｓｈのパルスの立ち上がりに関係なく、点灯期間信号ｐｗｍのパルスが常時立ち上がった状態としてもよい。
【００４６】
（第２の実施の形態の変形例）
ところで、高生産性が要求される複合機等のＭＦＰ（Multi  Function  Peripheral）では、ＣＣＤ２の電荷の蓄積時間をより短縮すること、すなわち、シフトゲート信号ｓｈの周期をより短縮することが求められる。よって、ＭＦＰでは、十分な光量を確保するために、ＬＥＤ３ａ〜３ｃの光量の瞬時値が高く設定される。このため、プレスキャン時のＬＥＤ３ａ〜３ｃの光の眩しさを押さえることが難しい。
【００４７】
そこで、図４に示すように、プレスキャン時には、電流制御信号ｃｕｒ＿ｓｉｇに十分小さな電流設定値ｉ３を設定し、ＬＥＤ３ａ〜３ｃの点灯期間を常時点灯状態、すなわち、点灯期間信号ｐｗｍのパルスが常時立ち上がった状態とする。その一方で、図４に示すように、シフトゲート信号ｓｈの周期を、図２Ａに示す通常の原稿読取り時におけるシフトゲート信号ｓｈの周期よりも長い周期とする。図２Ａにおけるシフトゲート信号ｓｈの周期は、時刻ｔ０５〜時刻ｔ０１であり、図４におけるシフトゲート信号ｓｈの周期は、時刻ｔ０５〜時刻ｔ０１よりも長い時間の時刻ｔ４２〜時刻ｔ４１である。
【００４８】
なお、図７に示すように、プレスキャン時において、電流制御信号ｃｕｒ＿ｓｉｇに十分小さな電流設定値ｉ３を設定すると、被照射体に照射した光が被照射体により反射した反射光をＣＣＤ２が受光する光量が低減する。このため、ＣＣＤ２に蓄積される電荷が少なくなってＳＮ（Signal  Noise）比が低下し、原稿サイズの誤検知が生じる場合がある。
【００４９】
この場合には、通常の原稿読取り時及びプレスキャン時で、単位時間当たりの光量、すなわち、１ライン内での累積光量が等しくなるように、シフトゲート信号ｓｈの周期、電流制御信号ｃｕｒ＿ｓｉｇに設定する電流設定値、点灯期間信号ｐｗｍの周期を調整する。
【００５０】
このように、通常の原稿読取り時と、プレスキャン時とで、読取り精度を同等とし、原稿サイズの誤検知を防止しつつ、プレスキャン時のＬＥＤ３ａ〜３ｃの発光によるユーザの眩しさをより低減する。すなわち、プレスキャンの画像読取の画質をより高めつつ、プレスキャン時のユーザの眩しさを抑制する。
【００５１】
（第２の実施の形態による効果）
このように、第２の実施の形態に係る光源駆動装置１ｂは、プレスキャン時において、第１の実施の形態に係る光源駆動装置１ａよりもＰＷＭ方式によるＬＥＤ３ａ〜３ｃの点灯期間の長さを長くする。よって、プレスキャン時には、電流可変方式に基づく電流制御信号ｃｕｒ＿ｓｉｇに、電流設定値ｉ２よりも小さい値の電流設定値ｉ３を設定しても、ＬＥＤ３ａ〜３ｃの光量を十分に確保できる。ゆえに、ＬＥＤ３ａ〜３ｃの光量の瞬時値Ｐｌｅｄのピーク値Ｐｐｋ３をさらに抑制できるので、ＬＥＤ３ａ〜３ｃの光の眩しさをより低減する。
【００５２】
また、第２の実施の形態の変形例に係る光源駆動装置１ｂは、ＬＥＤ３ａ〜３ｃの照度がより高く設定されていても、プレスキャン時に、通常の原稿読取り時と比較して、電流制御信号ｃｕｒ＿ｓｉｇに十分小さな電流設定値ｉ３を設定する。そして、光源駆動装置１ｂは、ＬＥＤ３ａ〜３ｃの点灯期間を十分確保し、ＣＣＤ２の電荷の蓄積時間を通常の原稿読取り時よりも長く取る。よって、ＬＥＤ３ａ〜３ｃの光量の瞬時値が高く設定されている場合でも、ＬＥＤ３ａ〜３ｃの光量のピーク値を抑制し、プレスキャン時のＬＥＤ３ａ〜３ｃの発光によるユーザの眩しさをより低減する。
【００５３】
［第３の実施の形態］
（光源駆動装置の構成）
以下に、第３の実施の形態に係る光源駆動装置１ｃについて説明する。光源駆動装置１ｃは、第１及び第２の実施の形態に係る光源駆動装置１ａ及び１ｂと比較して、電流制御信号ｃｕｒ＿ｓｉｇをオン、オフする制御を行うことで、電流制御信号ｃｕｒ＿ｓｉｇに点灯期間信号ｐｗｍの情報を含ませる。
【００５４】
図５は、第３の実施の形態に係る光源駆動装置の構成の一例を示すブロック図である。図５に示すように、光源駆動装置１ｃは、ＬＥＤ＿ＣＴＬ１０ｃ、ＬＥＤ＿ＤＲＶ２０ｃを有する。また、光源駆動装置１ｃには、ＣＣＤ２及びＬＥＤ３ａ〜３ｃが接続される。
【００５５】
ＬＥＤ＿ＣＲＬ１０ｃは、ＴＧ１１ｃを有する。ＴＧ１１ｃは、ＬＥＤ３ａ〜３ｃに供給される電流を制御する電流制御信号ｃｕｒ＿ｓｉｇをアナログ信号として生成し、ＬＥＤ＿ＤＲＶ２０ｃへ出力する。ここで、ＴＧ１１ｃは、ＬＥＤ３ａ〜３ｃを発光させる場合には、電流制御信号ｃｕｒ＿ｓｉｇをＬＥＤ＿ＤＲＶ２０ｃへ出力し、ＬＥＤ３ａ〜３ｃを発光させない場合には、電流制御信号ｃｕｒ＿ｓｉｇをＬＥＤ＿ＤＲＶ２０ｃへ出力しない。
【００５６】
ＬＥＤ＿ＤＲＶ２０ｃは、ＤＵＴＹ＿ＣＴＬ２１ｃ、ＣＵＲ＿ＣＴＬ２２ｃ、ＤＲＶ２３を有する。ＣＵＲ＿ＣＴＬ２２ｃは、ＴＧ１１ｃにより出力されたアナログ信号である電流制御信号ｃｕｒ＿ｓｉｇをデジタル信号へ変換する図示しないＡＤＣ（Analog  Digital  Converter）を有する。
【００５７】
ＣＵＲ＿ＣＴＬ２２ｃは、ＴＧ１１ｃにより出力された電流制御信号ｃｕｒ＿ｓｉｇをアナログ信号からデジタル信号へ変換する。そして、ＣＵＲ＿ＣＴＬ２２ｃは、デジタル信号へ変換した電流制御信号ｃｕｒ＿ｓｉｇに基づき、電流可変方式によりＬＥＤ３ａ〜３ｃに供給する電流の電流設定値を設定する電流設定値をＤＲＶ２３へ出力する。また、ＣＵＲ＿ＣＴＬ２２ｃは、ＴＧ１１ｃによる電流制御信号ｃｕｒ＿ｓｉｇの出力及び非出力を検知し、検知に応じて、ＤＵＴＹ＿ＣＴＬ２１ｃへ電流制御信号ｃｕｒ＿ｓｉｇのオン及びオフを出力する。
【００５８】
ＤＵＴＹ＿ＣＴＬ２１ｃは、ＣＵＲ＿ＣＴＬ２２ｃにより出力された電流制御信号ｃｕｒ＿ｓｉｇのオン及びオフに基づき、ＰＷＭ方式によりＬＥＤ３ａ〜３ｃの点灯期間を制御する点灯信号をＤＲＶ２３へ出力する。
【００５９】
ＤＲＶ２３は、ＤＵＴＹ＿ＣＴＬ２１ｃにより出力された点灯信号に基づき、ＬＥＤ３ａ〜３ｃの点灯期間を制御する。また、ＤＲＶ２３は、ＣＵＲ＿ＣＴＬ２２ｂにより出力された電流設定値に基づき、ＬＥＤ３ａ〜３ｃの光量の瞬時値を制御する。
【００６０】
（第３の実施の形態による効果）
このように、第３の実施の形態に係る光源駆動装置１ｃは、ＰＷＭ方式によるＬＥＤ３ａ〜３ｃの点灯期間を制御する情報を電流制御信号ｃｕｒ＿ｓｉｇのオン及びオフで示す。そして、ＴＧ１１ｃにより出力された電流制御信号ｃｕｒ＿ｓｉｇのオン及びオフがＣＵＲ＿ＣＴＬ２２ｃを介してＤＵＴＹ＿ＣＴＬ２１ｃに出力される。ＬＥＤ＿ＤＲＶ２０ｃは、ＴＧ１１ｃからＬＥＤ＿ＤＲＶ２０ｃへ出力される電流制御信号ｃｕｒ＿ｓｉｇに基づき、ＰＷＭ方式によるＬＥＤ３ａ〜３ｃの点灯期間を制御し、ＬＥＤ３ａ〜３ｃの光量の瞬時値を制御する。よって、ＴＧ１１ｃからＬＥＤ＿ＤＲＶ２０ｃへ出力される制御信号を電流制御信号ｃｕｒ＿ｓｉｇのみとすることができ、回路の構成を簡素化できる。
【００６１】
［第４の実施の形態］
（光源駆動装置の構成）
以下に、第４の実施の形態に係る光源駆動装置１ｄについて説明する。光源駆動装置１ｄは、制御用クロック信号ｃｕｒ＿ｃｋの周波数をＰＷＭ方式と、電流可変方式とで可変とする。そして、光源駆動装置１ｄは、２つの異なる周波数の制御用クロック信号ｃｕｒ＿ｃｋをフィルタで処理した信号を電流制御信号ｃｕｒ＿ｓｉｇとして出力する。
【００６２】
図６は、第４の実施の形態に係る光源駆動装置の構成の一例を示すブロック図である。図６に示すように、第４の実施の形態に係る光源駆動装置１ｄは、ＬＥＤ＿ＣＴＬ１０ｄ、ＬＥＤ＿ＤＲＶ２０ｄを有する。また、光源駆動装置１ｃには、ＣＣＤ２及びＬＥＤ３ａ〜３ｃが接続される。
【００６３】
ＬＥＤ＿ＣＲＬ１０ｄは、ＴＧ１１ｄ、ローパスフィルタ等のＦＩＲ（FILter）１２を有する。ＴＧ１１ｄは、制御用クロック信号ｃｕｒ＿ｃｋを生成し、ＦＩＲ１２へ出力する。ここで、ＴＧ１１ｃは、第１の周波数の第１の制御用クロック信号ｃｕｒ＿ｃｋ１を生成し、ＦＩＬ１２へ出力する。また、ＴＧ１１ｄは、第１の周波数より高い第２の周波数の第２の制御用クロック信号ｃｕｒ＿ｃｋ２を生成し、ＦＩＬ１２へ出力する。
【００６４】
ＦＩＬ１２は、第１の周波数より高く、第２の周波数よりも低い遮断周波数の特性を有するフィルタである。ＦＩＬ１２は、第２の制御用クロック信号ｃｕｒ＿ｃｋ２を第２の透過強度まで減衰させてＬＥＤ＿ＤＲＶ２０ｄへ出力する。また、ＦＩＬ１２は、第１の制御用クロック信号ｃｕｒ＿ｃｋ１を第２の透過強度より大きい第１の透過強度でＬＥＤ＿ＤＲＶ２０ｄへ出力する。
【００６５】
なお、ＦＩＬ１２は、ローパスフィルタを一例としてあげたが、ローパスフィルタに限らず、入力信号の周波数に応じて出力信号の透過強度を異ならせることができる回路であれば、いかなる回路でもよい。
【００６６】
ＦＩＬ１２が透過させた第１の制御用クロック信号ｃｕｒ＿ｃｋ１は、原稿スキャン時にＬＥＤ３ａ〜３ｃの点灯期間を制御する点灯期間信号ｐｗｍとして用いられる。また、ＦＩＬ１２が透過させた第２の制御用クロック信号ｃｕｒ＿ｃｋ２は、プレスキャン時にＬＥＤ３ａ〜３ｃの光量の瞬時値を制御する電流制御信号ｃｕｒ＿ｓｉｇとして用いられる。
【００６７】
ＬＥＤ＿ＤＲＶ２０ｄは、ＤＵＴＹ＿ＣＴＬ２１ｄ、ＣＵＲ＿ＣＴＬ２２ｄ、ＤＲＶ２３を有する。ＤＵＴＹ＿ＣＴＬ２１ｄは、ＣＵＲ＿ＣＴＬ２２ｄにより出力された第１の制御用クロック信号ｃｕｒ＿ｃｋ１に基づき、ＰＷＭ方式によりＬＥＤ３ａ〜３ｃの点灯期間を制御する点灯信号をＤＲＶ２３へ出力する。また、ＣＵＲ＿ＣＴＬ２２ｄは、ＦＩＬ１２により出力された第２の制御用クロック信号ｃｕｒ＿ｃｋ２に基づき、電流可変方式によりＬＥＤ３ａ〜３ｃに供給する電流値を設定する電流設定値をＤＲＶ２３へ出力する。
【００６８】
（フィルタの特性）
図７は、第４の実施の形態に係る光源駆動装置が備えるフィルタの特性の一例を示す図である。図７に示すように、ＦＩＬ１２は、遮断周波数ｆｃの特性を有する。また、ＦＩＬ１２は、遮断周波数ｆｃより小さい第１の周波数ｆ１の第１の制御用クロック信号ｃｕｒ＿ｃｋ１を透過強度Ｔ１で透過させる。また、ＦＩＬ１２は、遮断周波数ｆｃより大きい第２の周波数ｆ２の第２の制御用クロック信号ｃｕｒ＿ｃｋ２を透過強度Ｔ１よりも小さい透過強度Ｔ２で透過させる。
【００６９】
なお、第１の周波数ｆ１は、シフトゲート信号ｓｈの周期、すなわち、ＣＣＤ２の電荷蓄積時間の周期に基づいて決まり、例えば数〜数十ｋＨｚ程度である。ＴＧ１１ｄにより出力された第１の制御用クロック信号ｃｕｒ＿ｃｋ１は、ＦＩＬ１２を透過するためにパルスのエッジが鈍るが、ＰＷＭ方式における点灯期間信号ｐｗｍとして機能する。
【００７０】
また、第２の周波数ｆ２は、例えば数〜数十ＭＨｚ程度であり、パルス幅が調整できる。ＴＧ１１ｄにより出力された第２の制御用クロック信号ｃｕｒ＿ｃｋ２は、ＦＩＬ１２により透過強度が減衰されるが、ＦＩＬ１２により平滑化されるので、電流可変方式における電流制御信号ｃｕｒ＿ｓｉｇとして機能する。第２の制御用クロック信号ｃｕｒ＿ｃｋ２が平滑化された電流制御信号ｃｕｒ＿ｓｉｇは、ＬＥＤ３ａ〜３ｃに供給される電流の電流設定値を設定するアナログ信号である。第２の制御用クロック信号ｃｕｒ＿ｃｋ２のパルス幅を調整して電流制御信号ｃｕｒ＿ｓｉｇの直流電圧のレベルを調整することにより、ＬＥＤ３ａ〜３ｃに供給される電流を制御する。
【００７１】
（光源駆動装置の動作）
図８Ａは、第４の実施の形態に係る光源駆動装置のプレスキャン時の動作の一例を説明する図である。図８Ａは、横軸を時刻ｔとし、各時刻ｔにおけるシフトゲート信号ｓｈ、第１の制御用クロック信号ｃｕｒ＿ｃｋ１、電流制御信号ｃｕｒ＿ｓｉｇ、電流Ｉｌｅｄ、光量の瞬時値Ｐｌｅｄの概要を示すタイミングチャートである。
【００７２】
図８Ａに示すように、原稿読取り時には、時刻ｔ５１以前では、シフトゲート信号ｓｈ、点灯期間信号ｐｗｍ、電流Ｉｌｅｄ、光量の瞬時値Ｐｌｅｄは初期状態にあり、ＬＥＤ３ａ〜３ｃは消灯状態である。
【００７３】
そして、図８Ａの時刻ｔ５１において、シフトゲート信号ｓｈのパルスが立ち上がる。続いて、時刻ｔ５２において、第１の制御用クロック信号ｃｕｒ＿ｃｋ１のパルスが立ち上がる。第１の制御用クロック信号ｃｕｒ＿ｃｋ１のパルスの立ち上がりに応じて、時刻ｔ５２において、電流制御信号ｃｕｒ＿ｓｉｇが示す電流設定値、電流Ｉｌｅｄ及び光量の瞬時値Ｐｌｅｄが上昇を開始する。
【００７４】
電流制御信号ｃｕｒ＿ｓｉｇに設定される電流設定値は、時刻ｔ５２から時刻ｔ５３の間に、第１の制御用クロック信号ｃｕｒ＿ｃｋ１の透過強度Ｔ１に応じたｉ４だけ上昇する。また、電流Ｉｌｅｄは、時刻ｔ５２から時刻ｔ５４の間に、第１の制御用クロック信号ｃｕｒ＿ｃｋ１の透過強度Ｔ１に応じたＩｐｋ４だけ上昇する。同様に、光量の瞬時値Ｐｌｅｄは、時刻ｔ５２から時刻ｔ５４の間に、第１の制御用クロック信号ｃｕｒ＿ｃｋ１の透過強度Ｔ１に応じたＰｐｋ４だけ上昇する。
【００７５】
すなわち、図８Ａの時刻ｔ５２において、ＬＥＤ３ａ〜３ｃの点灯が開始し、時刻ｔ５４において、ＬＥＤ３ａ〜３ｃがＩｐｋ４及びＰｐｋ４に応じた光量で点灯する状態となる。電流制御信号ｃｕｒ＿ｓｉｇに電流設定値ｉ４が設定された場合において、Ｉｐｋ４は電流Ｉｌｅｄのピーク値であり、Ｐｐｋ４は光量の瞬時値Ｐｌｅｄのピーク値である。ＬＥＤ３ａ〜３ｃは、時刻ｔ５４〜時刻ｔ５５にわたって、Ｉｐｋ４及びＰｐｋ４に応じた光量で点灯する。
【００７６】
そして、図８Ａの時刻ｔ５５において、第１の制御用クロック信号ｃｕｒ＿ｃｋ１のパルスが立ち下がる。第１の制御用クロック信号ｃｕｒ＿ｃｋ１のパルスの立ち下がりに応じて、時刻ｔ５５において、電流制御信号ｃｕｒ＿ｓｉｇが示す電流設定値、電流Ｉｌｅｄ及び光量の瞬時値Ｐｌｅｄが下降を開始する。電流制御信号ｃｕｒ＿ｓｉｇが示す電流設定値は、時刻ｔ５５から時刻ｔ５６の間に、ｉ４だけ下降する。また、電流Ｉｌｅｄは、時刻ｔ５５から時刻ｔ５７の間に、Ｉｐｋ４だけ下降する。同様に、光量の瞬時値Ｐｌｅｄは、時刻ｔ５５から時刻ｔ５７の間に、Ｐｐｋ４だけ下降する。
【００７７】
すなわち、図８Ａの時刻ｔ５４において、ＬＥＤ３ａ〜３ｃの消灯が開始し、時刻ｔ５８において、ＬＥＤ３ａ〜３ｃが消灯する状態となる。図８Ａにおいて、時刻ｔ５８〜時刻ｔ６４も、時刻５１〜時刻ｔ５８と同様である。
【００７８】
（光源駆動装置の動作の変形例）
図８Ｂは、第４の実施の形態の変形例に係る光源駆動装置のプレスキャン時の動作の一例を説明する図である。図８Ｂは、横軸を時刻ｔとし、各時刻ｔにおけるシフトゲート信号ｓｈ、第２の制御用クロック信号ｃｕｒ＿ｃｋ２、電流制御信号ｃｕｒ＿ｓｉｇ、電流Ｉｌｅｄ、光量の瞬時値Ｐｌｅｄの概要を示すタイミングチャートである。
【００７９】
図８Ｂに示すように、プレスキャン時には、時刻ｔの全期間にわたって、周波数がｆ２、パルス幅が所定値である第２の制御用クロック信号ｃｕｒ＿ｃｋ２のパルスが生成される。なお、図８Ｂの時刻ｔ７１、時刻ｔ７２において、シフトゲート信号ｓｈのパルスが立ち上がる。
【００８０】
第２の制御用クロック信号ｃｕｒ＿ｃｋ２がＦＩＬ１２により減衰されたことに応じて、電流制御信号ｃｕｒ＿ｓｉｇが示す電流設定値に電流設定値ｉ４よりも極小の電流設定値ｉ５が常時設定される。電流制御信号ｃｕｒ＿ｓｉｇが示す電流設定値ｉ５に応じて、電流Ｉｌｅｄのピーク値がＩｐｋ４よりも極小のＩｐｋ５であり、光量の瞬時値Ｐｌｅｄのピーク値がＰｐｋ４よりも極小のＰｐｋ５となる。電流Ｉｌｅｄのピーク値Ｉｐｋ５及び光量の瞬時値Ｐｌｅｄのピーク値Ｐｐｋ５は、第２の制御用クロック信号ｃｕｒ＿ｃｋ２のパルスが生成される間にわたって維持され、ＬＥＤ３ａ〜３ｃが常時点灯する。
【００８１】
（第４の実施の形態による効果）
このように、第４の実施の形態に係る光源駆動装置１ｄは、電流可変方式によりＬＥＤ３ａ〜３ｃの光量の瞬時値を制御する第１の制御用クロック信号ｃｕｒ＿ｃｋ１を用いる。また、光源駆動装置１ｄは、ＰＷＭ方式によりＬＥＤ３ａ〜３ｃの点灯期間を制御する第２の制御用クロック信号ｃｕｒ＿ｃｋ２を用いる。すなわち、光源駆動装置１ｄは、第１の制御用クロック信号ｃｕｒ＿ｃｋ１及び第２の制御用クロック信号ｃｕｒ＿ｃｋ２を使い分ける。
【００８２】
そして、光源駆動装置１ｄは、透過強度Ｔ２より大きい透過強度Ｔ１で透過された第１の制御用クロック信号ｃｕｒ＿ｃｋ１によりＬＥＤ３ａ〜３ｃの点灯期間を制御する。また、光源駆動装置１ｄは、ＦＩＬ１２により透過強度Ｔ２まで減衰された第２の制御用クロック信号ｃｕｒ＿ｃｋ２を電流制御信号ｃｕｒ＿ｓｉｇとして、ＬＥＤ３ａ〜３ｃの光量の瞬時値を制御する。すなわち、単一のクロック信号の周波数を可変とすることにより、ＰＷＭ方式によるＬＥＤ３ａ〜３ｃの点灯期間の制御と、電流可変方式によるＬＥＤ３ａ〜３ｃの光量の瞬時値の制御を行うので、回路の構成がより簡素化する。
【００８３】
［実施の形態を適用した回路の一例］
図９は、第１〜第４の実施の形態を適用した回路の構成の一例を示すブロック図である。図９に示すように、上述した第１〜第４の実施の形態は、ＴＧ１１、ＤＵＴＹ＿ＣＴＬ２１、ＣＵＲ＿ＣＴＬ２２、ＤＲＶ２３を含むＬＥＤ＿ＤＲＶ２０に適用可能である。ＬＥＤ＿ＤＲＶ２０には、ＬＥＤ３が接続される。ＤＲＶ２０は、図示しない電源を含み、ＬＥＤ３に電流Ｉｌｅｄを供給し、点灯させる。
【００８４】
ＬＥＤ＿ＤＲＶ２０において、ＤＵＴＹ＿ＣＴＬ２１は、ＴＧ１１により出力された点灯期間信号ｐｗｍに基づき、ＰＷＭ方式によりＬＥＤ３の点灯期間を制御する点灯信号をＤＲＶ２３へ出力する。また、ＤＵＴＹ＿ＣＴＬ２２は、ＴＧ１１により出力された電流制御信号ｃｕｒ＿ｓｉｇに基づき、電流可変方式によりＬＥＤ３に供給する電流値を設定する電流設定値をＤＲＶ２３へ出力する。
【００８５】
そして、ＤＲＶ２３は、ＤＵＴＹ＿ＣＴＬ２１により出力された点灯信号に基づき、ＬＥＤ３の点灯期間を制御する。また、ＤＲＶ２３は、ＣＵＲ＿ＣＴＬ２２により出力された電流設定値に基づき、ＬＥＤ３の光量の瞬時値を制御する。
【００８６】
なお、図９に示すＬＥＤ＿ＤＲＶ２０の構成は、一例に過ぎず、上述した第１〜第４の実施の形態において、ＬＥＤ＿ＤＲＶ２０ａ〜２０ｄがＴＧ１１ａ〜１１ｄを含む構成としてもよい。
【００８７】
［実施の形態を適用した画像形成装置の一例］
図１０は、第１〜第４の実施の形態を適用した画像形成装置の構成の一例を示すブロック図である。第１〜第４の実施の形態を適用した画像形成装置１００は、画像読取装置１０１、光源装置１０２、画像印刷装置１０３を有する。
【００８８】
画像読取装置１０１は、ＴＧ１０１ａ、ＤＲＶ１０１ｂ、ＣＣＤ１０１ｃ、ＡＦＥ（Analog  Front  End）１０１ｄ、ＬＶＤＳ（Low  Voltage  Differential  Signaling）１０１ｅを有する。光源装置１０２は、ＬＥＤ＿ＤＲＶ１０２ａ、ＬＥＤ１０２ｂを有する。画像印刷装置１０３は、制御部１０３ａ、画像印刷エンジン１０３ｂ、Ｉ／Ｆ（Inter/Face）１０３ｃを有する。さらに、画像印刷装置１０３の制御部１０３ａは、ＣＰＵ（Central  Processing  Unit）１０３ａ−１，画像処理部１０３ａ−２、ＬＶＤＳ１０３ａ−３を有する。
【００８９】
ＴＧ１０１ａは、点灯期間信号ｐｗｍ及び電流制御信号ｃｕｒ＿ｓｉｇを生成し、光源装置１０２のＬＥＤ＿ＤＲＶ１０２ａへ出力する。また、ＴＧ１０１ａは、シフトゲート信号ｓｈ及びＡＦＥを制御するＡＦＥ制御信号を生成し、ＤＲＶ１０１ｂへ出力する。ＤＲＶ１０１ｂは、ＴＧ１０１ａにより出力された、シフトゲート信号ｓｈに基づきＣＣＤ１０１ｃを制御し、ＡＦＥ制御信号に基づきＡＦＥ１０１ｄを制御する。
【００９０】
ＣＣＤ１０１ｃは、ＤＲＶ１０１ｂの制御により、画像形成装置にセットされた原稿等の被照射体に照射された光が被照射体に反射した反射光を受光し、受光した反射光を光電変換してアナログ画像信号を生成し、ＡＦＥ１０１ｄへ出力する。ＡＦＥ１０１ｄは、ＣＣＤ１０１ｃにより出力されたアナログ画像信号をデジタル画像信号へ変換し、ＬＶＤＳ１０１ｅを介して画像印刷装置１０３へ出力する。なお、ＬＶＤＳ１０１ｅは、ＬＶＤＳ１０３ａ−３と同様に、画像データを送受するインターフェースである。
【００９１】
光源装置１０２において、ＬＥＤ＿ＤＲＶ１０２ａは、画像読取装置１０１のＴＧ１０１ａにより出力された点灯期間信号ｐｗｍに基づきＬＥＤ１０２ｂの点灯期間を制御し、電流制御信号ｃｕｒ＿ｓｉｇに基づきＬＥＤ１０２ｂの光量の瞬時値を制御する。ＬＥＤ１０２ｂは、ＬＥＤ＿ＤＲＶ１０２ａの制御により、光を被照射体に照射する。
【００９２】
画像印刷装置１０３において、制御部１０３ａのＣＰＵ１０３ａ−１は、画像印刷装置１０３の全体制御と、ＴＧ１０１ａの制御を行う。制御部１０３ａのＬＶＤＳ１０３ａ−３は、ＬＶＤＳ１０１ｅを介して画像読取装置１０１により出力されたデジタル画像信号の入力を受付け、入力を受付けたデジタル画像信号を画像処理部１０３ａ−２へ出力する。
【００９３】
制御部１０３ａの画像処理部１０３ａ−２は、ＬＶＤＳ１０３ａ−３により出力されたデジタル画像信号に基づく画像データを画像処理し、画像処理した画像データをＩ／Ｆ１０３ｃを介して画像印刷エンジン１０３ｂへ出力する。画像印刷エンジン１０３ｂは、画像処理部１０３ａ−２により出力された画像データを、図示しない印刷部を駆動して、紙等の画像形成媒体へ出力する。
【００９４】
以上、第１〜第４の実施の形態では、光源駆動装置１ａ〜１ｄは、ＬＥＤ＿ＣＴＬ１０ａ〜１０ｄをそれぞれ含むとして説明したが、これに限られるものではない。すなわち、光源駆動装置１ａ〜１ｄは、ＬＥＤ＿ＣＴＬ１０ａ〜１０ｄを含まず、入力された点灯期間信号ｐｗｍ及び電流制御信号ｃｕｒ＿ｓｉｇもしくはこれらの信号に相当する信号に基づきＬＥＤ３ａ〜３ｃの発光を制御する装置でもよい。
【００９５】
以上、第１〜第４の実施の形態で説明した光源駆動装置及び画像読取装置は、コピー機能、プリンタ機能、スキャナ機能及びファクシミリ機能のうち少なくとも２つの機能を有する複合機に適用してもよい。また、第１〜第４の実施の形態で説明した光源駆動装置及び画像読取装置は、複写機、プリンタ、スキャナ装置、ファクシミリ装置等の画像形成装置であれば何れにも適用してもよい。
【符号の説明】
【００９６】
１、１ａ、１ｂ、１ｃ、１ｄ  光源駆動装置
２  ＣＣＤ
３、３ａ、３ｂ３ｃ  ＬＥＤ
１０ａ、１０ｃ、１０ｄ  ＬＥＤ＿ＣＴＬ
１１、１１ａ、１１ｃ、１１ｄ  ＴＧ
２０、２０ａ、２０ｃ、２０ｄ  ＬＥＤ＿ＤＲＶ
２１、２１ａ、２１ｃ、２１ｄ  ＤＵＴＹ＿ＣＴＬ
２２、２２ａ、２２ｃ、２２ｄ  ＣＵＲ＿ＣＲＬ
２３  ＤＲＶ
１００  画像形成装置
１０１  画像読取装置
１０２  光源装置
１０２ａ  ＬＥＤ＿ＤＲＶ
１０３  画像印刷装置
【先行技術文献】
【特許文献】
【００９７】
【特許文献１】特開平０８−０６９２１５号公報
【図１】
2013062684.tif 000003
【図２Ａ】
2013062684.tif 000004
【図２Ｂ】
2013062684.tif 000005
【図３】
2013062684.tif 000006
【図４】
2013062684.tif 000007
【図５】
2013062684.tif 000008
【図６】
2013062684.tif 000009
【図７】
2013062684.tif 000010
【図８Ａ】
2013062684.tif 000011
【図８Ｂ】
2013062684.tif 000012
【図９】
2013062684.tif 000013
【図１０】
2013062684.tif 000014